(57)【要約】【課題】無段階に長さを短縮でき、またモジュール化できる、配管または配線を壁または天井に挿通するための注型埋め込み部材を得る。【解決手段】外套管１２と、この外套管１２に連結可能であり、貫通開口１５を囲む遮断手段１７のための収容空間１６を有するベース部材１４と、を設けた注型埋め込み部材１１において、外套管１２にねじ状の外側輪郭１３を設け、ベース部材１４の貫通開口１５の領域に、このねじ状の外側輪郭１３に対応する、ねじ状の内側輪郭１８を設ける。さらに、外套管１２のねじ状の外側輪郭１３を、蓋部材２１に、好適には、この蓋部材２１に設けた突出部２２に連結可能とする。【選択図】図１
2007120288.tif 000002
【特許請求の範囲】
【請求項１】
配線または配管を挿通させるための注型埋め込み部材であって、外套管（１２；４２，４３；６２）と、この外套管（１２；４２，４３；６２）に連結可能であり、貫通開口（１５）を囲む遮断手段（１７；５２）のための収容空間（１６）を有するベース部材（１４；５１）と、を設けた該注型埋め込み部材において、
前記外套管（１２；４２，４３；６２）にねじ状の外側輪郭（１３；４４，４５；６３）を設け、前記ベース部材（１４；５１）の貫通開口（１５）の領域に、このねじ状の外側輪郭（１３；４４，４５；６３）に対応する、ねじ状の内側輪郭（１８）を設けたことを特徴とする注型埋め込み部材。
【請求項２】
請求項１記載の注型埋め込み部材において、外套管（１２；４３）のねじ状の外側輪郭（１３；４５）を、蓋部材（２１）に連結可能とした注型埋め込み部材。
【請求項３】
請求項２記載の注型埋め込み部材において、外套管（１２；４３）のねじ状の外側輪郭（１３；４５）を、蓋部材（２１）に設けた突出部（２２）に連結可能とした注型埋め込み部材。
【請求項４】
請求項１記載の注型埋め込み部材において、外套管（６２）のねじ状の外側輪郭（６３）を、第２のベース部材（１４；５１）に連結可能とし、この第２ベース部材（１４；５１）に、貫通開口（１５）を囲む遮断手段（１７；５２）のための収容空間（１６）および、このねじ状の外側輪郭（６３）に対応する、ねじ状の内側輪郭（１８）を設けた注型埋め込み部材。
【請求項５】
請求項１〜３のいずれか一項に記載の注型埋め込み部材において、外套管（４２、４３）のねじ状の外側輪郭（４４、４５）を、スリーブ状の連結部材（４６）に連結可能とした注型埋め込み部材。
【請求項６】
請求項５記載の注型埋め込み部材において、外套管（４２、４３）のねじ状の外側輪郭（４４、４５）を、このねじ状の外側輪郭（４４、４５）に対応する、スリーブ状の連結部材（４６）の内側輪郭（４７）に連結可能とした注型埋め込み部材。
【発明の詳細な説明】
【技術分野】
【０００１】
本発明は、配線または配管を挿通させるための注型埋め込み部材であって、外套管および、この外套管に連結可能であり、貫通開口を囲む遮断手段のための収容空間を有するベース部材を設けた該注型埋め込み部材に関する。
【背景技術】
【０００２】
建造物のプランニングおよび建設の際には、導管、ケーブル等の配管または配線のための挿通路を、壁および天井に多数設けておき、建設の遅い段階で、もしくは拡張プロジェクトで、配管または配線を挿通することがよくある。これによって、導管やケーブルなどが建設の早期の段階において損傷を受けることを防ぐ。例えば、天井における挿通のためには、型枠形成作業中に、適切な内径を持つ筒状の装置を空間確保ホルダとして型枠上に固定し、その後コンクリート天井やコンクリート壁といった注型すべき建造部分と一緒に注型する。空間確保ホルダは、注型した建造部分に残り、通常、注型した建造部分の少なくとも一方の側面から突出する。建造部分を貫通する挿通路によって、例えば火災時に炎が拡大する恐れがある。そのため、このような挿通路による炎の拡大を、所定最短時間内に回避することを保証する安全措置を取る必要がある。このために管状の装置は、挿通路を囲む空間に、例えば火災時に膨張し、その際に挿通路を密封する延焼防止物質を設ける。挿通する、可燃性の合成材料製の管を適用すると、膨張可能な物質が膨張して管に密着し、挿通路を遮断し、挿通路を介しての延焼を回避できる。このような注型埋め込み部材は、通常、合成材料などから製造する、単一構造のハウジングによって構成し、例えば、鋸装置によって形成すべき建造部分の厚さに合わせて長さ短くする。。
【０００３】
既知の従来技術の欠点は、厚さの大きな建造部分の場合、通常の方法で製造した注型埋め込み部材の長さを、建造部分の厚みが上回ることである。注型埋め込み部材の使用者は、このような建造部分の超過分を補助構造によって相殺するが、この補助構造は、建造部分の注型の際に不安定になったり、固定するのに高いコストがかかったりする。建造部分の厚みのうち少なくとも大部分をカバーする注型埋め込み部材の製造は、多くの用途において注型埋め込み部材の長さを大きくカットする必要があるため、経済的に非合理的である。さらに、この種の注型埋め込み部材では建造部分を注型する際、貫通開口を塞ぐための蓋部材を、形状規制ロックによってのみ注型埋め込み部材の遊端に固定している。そのため、蓋部材を注型埋め込み部材に固定するために、その他の特別な対策をとる必要がある。
【０００４】
特許文献１には、外套管および、外套管と連結可能なベース部材を有する、配管または配線を挿通するための注型埋め込み部材が記載されている。ベース部材は貫通開口を囲む、遮断手段のための収容空間を有する。遮断手段は膨張可能な物質であり、火災時に体積が増加して貫通開口を密封する。外套管は、横方向延びる多数のバンドから構成し、これらのバンドを解離可能な結合によって連結し、グリップ部分でつかむことが可能である。また、スナップ式結合によって蓋部材または連結部材を外套管の遊端に固定できる。
【特許文献１】米国特許公開第２００４／００１６１９０号明細書
【０００５】
既知の従来技術の欠点は、外套管の長さを段階的にしか短縮できないことである。さらに、この種の注型埋め込み部材の製造はコストがかかり、このことは注型埋め込み部材のような大量生産品の場合、非常に大きな欠点である。
【発明の開示】
【発明が解決しようとする課題】
【０００６】
本発明の課題は、無段階に長さを短縮でき、またモジュール形式にでき、配管または配線を挿通するための注型埋め込み部材を得ることにある。
【課題を解決するための手段】
【０００７】
この課題は、特許請求の範囲における独立請求項に記載の特徴により解決する。その他の有利な特徴は、特許請求の範囲の従属請求項に記載する。
【０００８】
本発明による配管または配線を挿通するための注型埋め込み部材は、外套管と、この外套管と連結可能であり、貫通開口を囲む遮断手段のための収容空間を設けたベース部材と、を有する。外套管にはねじ状の外側輪郭を設け、ベース部材の貫通開口における領域に、このねじ状の外側輪郭に対応する、ねじ状の内側輪郭を設ける。
【発明の効果】
【０００９】
本発明の注型埋め込み部材は、モジュール形式にして製造する。火災の延焼を遮断するために、遮断手段として、例えばベース部材の収容空間に膨張可能な物質を設ける。液体を遮断するためには、液体に触れるとふやける物質を遮断手段として収容空間に設けることができる。
【００１０】
外套管は、適切な長さに無段階に長さを短縮可能であり、ねじ連結によりベース部材にしっかりと連結する。その際、ねじ連結が強固な掛合点となる。また、使用者は外套管を、例えばその長さ全体にわたってねじ状の外側輪郭を有する長い管として設け、必要とする長さに切断する。外套管のねじ状の外側輪郭および／またはベース部材のねじ状の内側輪郭は、外套管の切断端縁を特別に加工することなく、ベース部材をカバー管にねじ連結可能にする点で、有利な形状である。
【００１１】
外套管のねじ状の外側輪郭および／またはベース部材のねじ状の内側輪郭は、ねじピッチ、ねじ溝の深さもしくは形状の深さ、または多段性に関して様々な適用例において、無段階に調節可能な形状である。有利な実施例においては、ねじ状の内側輪郭は順次にねじ山部分を有するものとする。
【００１２】
さらに、ねじ状の外側輪郭は、注型すべき建造部分と結合し、密封性を損なう、外套管に沿うひびや毛細管状の孔の形成を防ぐことができる。
【発明を実施するための最良の形態】
【００１３】
好適な実施例においては、外套管のねじ状の外側輪郭は蓋部材に連結可能とし、この場合、蓋部材は、外套管のねじ状の外側輪郭に対応するねじ状の内内側輪郭を、少なくとも部分的に設けると有利である。蓋部材は、ねじ込みによって外套管にしっかりと連結する。蓋部材は摩擦力によって外套管に保持され、他の特別な措置は必要としない。
【００１４】
好適な実施例においては、外套管のねじ状の外側輪郭を、蓋部材に設けた突出部に連結可能とする。この場合、突出部における外套管の外側輪郭と接触する側の側面に、ねじ状の外側輪郭に対応するねじ状の内側輪郭を設ける。蓋部材は、さらに、形状ロックによって外套管の遊端に固定されるようにするとよい。また、蓋部材に、封止リップを設け、蓋部材を外套管に取付けた状態では、この封止リップによって外套管の内壁に密着するようにするとよい。
【００１５】
好適には、外套管のねじ状の外側輪郭を、第２のベース部材に連結可能とし、このベース部材には、貫通開口を囲む、遮断手段のための収容空間および、収容空間の領域に設けたねじ状の外側輪郭に対応するねじ状の内側輪郭を設けると、さらに有利である。ベース部材には、例えば、膨張可能物質、または液体を吸収ふやける物質を、遮断手段として収容空間に設ける。
【００１６】
このような注型埋め込み部材には、挿通路における火炎の遮断のために、例えば外套管の両側の端部にそれぞれベース部材を設ける。このような注型埋め込み部材は、例えば、壁の挿通路として設けるが、この場合、壁の両側で火災が発生する可能性がある。したがって、好適な実施例においては、注型埋め込み部材の両側の端部にそれぞれ、挿通路を流体遮断できるベース部材を設ける。さらに、外套管の一方の端部には、挿通路における火炎遮断のためのベース部材を設け、他方の端部には、挿通路における液体遮断のためのベース部材を設けることもできる。
【００１７】
好適には、外套管のねじ状の外側輪郭をスリーブ状の連結部材によって連結する。外套管を誤って短く切断しすぎたり、外套管の端材を使用したりする場合、ベース部材に連結した外套管の遊端を、このスリーブ状の連結部材によって新たな外套管に連結する。
【００１８】
好適な実施例においては、外套管のねじ状の外側輪郭を、スリーブ状の連結部材の、この外套管のねじ状の外側輪郭に対応するねじ状の内側輪郭に連結可能とする。これにより、２個の外套管相互の、組立てが容易でありかつ、建造部分の注型の際も安定した、しっかりとした連結ができる。さらに、このような連結は流体密であり、建造部分の注型用原料の一部が注型埋め込み部材に浸透することを防ぐ。
【００１９】
本発明の注型埋め込み部材の外套管、ベース部材、蓋部材および連結部材は一種類の合成材料から製造すると有利である。代案として、注型埋め込み部材におけるいくつかの部材、または全ての部材を金属で製造することもでき、この場合、これらの金属製の部材は、注型埋め込み部材における合成材料製の部材とも連結可能とする。
【００２０】
本発明の注型埋め込み部材は、取り扱いやすく、調節可能な点において傑出する。注型埋め込み部材の個々の部材は様々な種類での連結が可能であるため、この注型埋め込み部材を用いると、建造部分を貫通する挿通路を、低コストかつ効率よく形成することができる。
【００２１】
以下、図面につき本発明の好適な実施例を詳細に説明する。図面において、原則的に同じ部材は同じ符号によって示す。
【実施例１】
【００２２】
図１および図２に示すように、注型埋め込み部材１１には、ねじ状の外側輪郭１３を有する外套管１２を設け、この外側輪郭１３は、全体的にねじとして構成し、外套管１２の長さ全体にわたって延在させる。さらに、注型埋め込み部材１１は、ベース部材１４を有し、このベース部材１４には貫通開口１５を囲む、遮断手段１７のための収容空間１６を設ける。ねじ状の外側輪郭１３に対応する内側輪郭１８を、ベース部材１４において収容空間１６に隣接する、貫通開口１５の領域に設ける。さらに、蓋部材２１を設け、この蓋部材２１に設けた突出部２２によって、キャップ部材２１とねじ状の外側輪郭１３とを連結可能とする。外套管のねじ状の外側輪郭１３に組み付ける突出部２２の側面２３には、ねじ状の外側輪郭１３に対応する、ねじ部分２４として構成したねじ状の内側輪郭を設ける。
【００２３】
蓋部材２１には、周方向に延在する挿入部分２６を突設し、この挿入部分２６の外周には封止リップ２５を設ける。注型埋め込み部材１１を組み立てた状態では、この封止リップ２５は外套管１２の内壁１９に密着し、外套管１２の遊端２０を確実に密封する。
【００２４】
つぎに、図１に基づいて、注型埋め込み部材１１の使用方法について説明する。第１段階として、建造部分１の所要の高さＨに応じて外套管１２の長さを短くし、つぎに、ベース部材１４にねじ付ける。外套管１２の長さは、コンクリートを注型した状態で、注型建造部分１の表面３から僅かに突出するよう選択する。外套管１２のねじ状の外側輪郭１３、およびこのねじ状の外套管１３に対応するベース部材１４の内側輪郭１８は、切断端縁２８を再加工することなく互いに連結できるよう構成する。
【００２５】
ベース部材１４には、多数の釘穴３０を有するフランジ部分２９を設ける。組み立てた注型埋め込み部材１１を型枠２上の適切な位置に配置し、例えば釘穴３０に釘を貫通させて固定する。つぎに、蓋部材２１を、外套管１２の遊端２０にねじ付ける。その後、建造部分１を流し込み、その際、注型埋め込み部材１１と建造部分１との間に、ねじ状の外側輪郭１３の形状ロックによる接合を生じ、接合部分におけるひび割れや毛細管状の孔の形成を防ぐ。
【実施例２】
【００２６】
図３に示す注型埋め込み部材４１は、第１外套管４２および第２外套管４３を有し、それぞれにねじ状の外側輪郭４４および外側輪郭４５を設ける。外套管４２，４３相互を、スリーブ状の連結部材４６によって連結し、このスリーブ状の連結部材４６には、ねじ状の外側輪郭４４および外側輪郭４５に対応する内側輪郭４７を設ける。更に、スリーブ状の連結部材４６には、このスリーブ状の連結部材４６に組み付ける外套管４２，４３のためのストッパとして、連結部材４６の内周面に突出部４８を設ける。注型埋め込み部材４１は蓋部材２１およびベース部材５１を有し、このベース部材５１には、液体を遮断するために、液体に接触するとふやける物質を遮断手段５２として設ける。
【実施例３】
【００２７】
図４に示す注型埋め込み部材６１には、ねじ状の外側輪郭６３を有する外套管６２、遮断手段として膨張可能な物質を有するベース部材１４と、液体と接触するとふやける物質を有するベース部材５１を設ける。ベース部材５１の代わりに、遮断手段として膨張可能な物質を有する２個のベース部材１４を、外套管６２に設けることもできる。逆に、ベース部材１４の代わりに、遮断手段として液体との接触によりふやける物質を有する２個のベース部材５１を、外套管６２に設けることもできる。
【図面の簡単な説明】
【００２８】
【図１】本発明の第１実施例における注型埋め込み部材のＩ‐Ｉ線上の縦断面図である。
【図２】図１に示す注型埋め込み部材の分解斜視図である。
【図３】本発明の第２実施例における注型埋め込み部材の縦断面図である。
【図４】本発明の第３実施例における注型埋め込み部材の分解斜視図である。
【符号の説明】
【００２９】
１  建造部分
２  型枠
３  表面
１１  注型埋め込み部材
１２  外套管
１３  外側輪郭
１４  ベース部材
１５  貫通開口
１６  収容空間
１７  遮断手段
１８  内側輪郭
１９  内壁
２０  遊端
２１  蓋部材
２２  突出部
２３  側面
２４  ねじ部分
２５  封止リップ
２６  挿入部分
２８  切断端縁
２９  フランジ部分
３０  釘穴
４１  注型埋め込み部材
４２  外套管
４３  外套管
４４  外側輪郭
４５  外側輪郭
４６  連結部材
４７  内側輪郭
４８  突出部
５１  ベース部材
５２  遮断手段
６１  注型埋め込み部材
Ｈ  高さ
【図１】
2007120288.tif 000003
【図２】
2007120288.tif 000004
【図３】
2007120288.tif 000005
【図４】
2007120288.tif 000006